(57)【要約】【課題】高精細であるとともに解像度感が優れている表示装置を提供する。【解決手段】複数の表示素子がマトリクス状に配置された表示領域１０を備えた表示装置１において、前記複数の表示素子が、第１表示素子と、第２表示素子と、第３表示素子とを有し、かつ第１表示素子、第２表示素子、第３表示素子、第３表示素子、第２表示素子、第１表示素子の順で第１の方向に整列し、前記第１表示素子と、前記第２表示素子と、前記第３表示素子との発光色がそれぞれ異なり、前記表示領域に入力する画像信号を変調するための低域通過回路１４を備えたことを特徴とする表示装置１。【選択図】図１
2011221180.tif 000002
【特許請求の範囲】
【請求項１】
複数の表示素子がマトリクス状に配置された表示領域を備えた表示装置において、
前記複数の表示素子が、第１表示素子と、第２表示素子と、第３表示素子とを有し、かつ第１表示素子、第２表示素子、第３表示素子、第３表示素子、第２表示素子、第１表示素子の順で第１の方向に整列し、
前記第１表示素子と、前記第２表示素子と、前記第３表示素子との発光色がそれぞれ異なり、
前記表示領域に入力する画像信号を変調するための低域通過回路を備えたことを特徴とする、表示装置。
【請求項２】
前記第１表示素子と、前記第２表示素子と、前記第３表示素子とが一表示単位を構成し、
各表示単位に電気接続される低域通過回路の動作が、前記第１の方向における偶数列目の表示素子と奇数列目の表示素子で異なることを特徴とする、請求項１記載の表示装置。
【請求項３】
前記低域通過回路より出力された画像信号を変調するための差分フィルタ回路を備えることを特徴とする、請求項１又は２に記載の表示装置。
【請求項４】
前記低域通過回路が、少なくとも特定の信号に係数をかける乗算処理を行う回路と、信号のタイミングを調整するための遅延素子と、複数の信号を足し合わせる加算手段と有し、前記係数が表示列に応じて異なることを特徴とする、請求項１〜３のいずれか１項に記載の表示装置。
【発明の詳細な説明】
【技術分野】
【０００１】
本発明は、表示装置に関する。
【背景技術】
【０００２】
近年、有機エレクトロルミネッセンス素子（以下、「有機ＥＬ素子」という。）等の自発光素子を用いた自発光型表示装置が利用されている。
【０００３】
ここで有機ＥＬ素子を用いた表示装置において、小型の装置については、主に、マスク蒸着により赤（Ｒ）緑（Ｇ）青（Ｂ）の各色の表示素子のパターンに有機ＥＬ層が形成される。そのため、表示装置の高精細化に応じて、高精細なマスクが必要となる。ところが、このような高精細なマスクを精度良く作製することは難しい上、高精細マスクを用いた成膜は、被成膜基板とマスクとのアライメントずれや蒸着中の温度変化等により、成膜位置ずれが発生しやすい。
【０００４】
このような有機ＥＬ素子の高精細化に伴う課題を回避するため、特許文献１では、各色の表示素子は、例えば行方向から見てＲＧＢＢＧＲＲＧＢＢＧＲ・・・というシークエンスで配置される。この配置ではＲＧＢの表示素子を一つの画素と考えた場合に、隣り合う画素にそれぞれ含まれる同一色の表示素子がそれぞれ隣り合うよう表示素子が配列される。そして各色の表示素子を上記シークエンス（ＲＧＢＢＧＲＲＧＢＢＧＲ・・・）で配列すると、マスク蒸着によりＲ表示素子及びＢ表示素子をそれぞれ形成する際に、マスクの開口幅を表示素子２個分に設定することができる。これによりＲ表示素子及びＢ表示素子を形成する際に、実解像度の半分の解像度でマスクの開口を形成することができるので、表示装置の高精細化に伴う課題を改善することができる。
【０００５】
また高精細化の別の手段として、表示素子のシークエンスをＲＧＢＧＲＧＢＧ・・・として、Ｇ表示素子のみを所望の精細度で配置し、Ｒ表示素子及びＢ表示素子の幅をＧ表示素子の幅の２倍にする技術が開示されている（特許文献２、特許文献３）。この場合、Ｒ表示素子及びＢ表示素子は、隣り合う二つの表示単位間で共用する構成になる。
【０００６】
ところで人間の視覚特性は緑色の光に関して空間的な解像特性が高いので、Ｇ表示素子の個数を増やすことは特に表示装置の解像度の向上に寄与する。一方で、このようなシークエンス（ＲＧＢＧＲＧＢＧ・・・）を有する表示素子においては、Ｒ、Ｇ、Ｂ各表示素子の個数に応じて画像情報を変換する必要がある。即ち、この画像情報の変換処理は、ＲとＢの画像信号を表示素子数に応じて減らす処理であるため、再サンプリングに伴うエイリアシング歪みを避けるためには、非特許文献１に記載されているように低域通過特性を用いることが好ましい。一方で、特許文献２には、画像情報の変換法として隣り合う赤もしくは青の輝度情報の平均となる輝度情報をそれぞれの表示素子に入力することが開示されている。この処理は、赤もしくは青の輝度情報は平面方向に平均化されるため、実質的に低域通過回路を設けた場合と同等といえる。
【先行技術文献】
【特許文献】
【０００７】
【特許文献１】特開２００４−２０７１２６号公報
【特許文献２】特開２００５−０６２２２０号公報
【特許文献３】米国特許７２８３１４２号明細書
【非特許文献】
【０００８】
【非特許文献１】「ディジタル信号処理システムの基礎」、渡部英二、森北出版株式会社（２００８）
【発明の概要】
【発明が解決しようとする課題】
【０００９】
上述したように、特許文献２及び特許文献３にて開示される表示素子配列の表示装置は、Ｇ表示素子の個数のみを増やすことで、総表示素子数に対する表示装置の解像感を効率よく向上させることができる。しかし、Ｇ表示素子と、Ｒ表示素子及びＢ表示素子との個数が異なることにより、微細パターンを表示した際に色づきが生じる可能性がある。もしくは色により解像感が異なってしまい、観察時に違和感が生じる可能性がある。
【００１０】
一方、特許文献１に開示されている表示装置を構成する表示素子のシークエンスは、各色の表示素子を表示単位ごとに分割し、それぞれ独立に発光させることができるようにしている。このため上述した表示素子の個数が色ごとに異なることによる課題が生じにくく高解像度化を実現しやすい。しかし、特許文献１に開示される表示素子のシークエンスの場合は、緑色の表示素子の配列ピッチが均等なのに対して、赤もしくは青色の表示素子の配列ピッチは１／３倍もしくは２倍となっていて均等にはなっていない。
【００１１】
ここで表示素子のシークエンスがＲＧＢＲＧＢＲＧＢＲＧＢ・・・である場合、表示装置までの観察距離に応じて各表示素子間のぼやけ感が赤、青と緑で揃っている。視力検査に一般的に用いられているランドルト環の隙間を視力１．０の人間が見分けられる限界は、角度にするとおよそ１分であることが知られている。これは一般的な表示素子配列の３インチＶＧＡのＲＧＢパネルを、２５ｃｍ程度の距離から観察した場合の各色の画素ピッチを見込む角度に相当する。即ち、およそ２５ｃｍ以上の距離から観察すると隣り合う表示素子の識別が難しくなる。
【００１２】
これに対して、表示素子のシークエンスがＲＧＢＢＧＲＲＧＢＢＧＲ・・・である場合、Ｒ表示素子のピッチがＧ表示素子のピッチの１／３倍となる箇所では、隣り合うＲ表示素子は、Ｇ表示素子が識別可能な観察距離の１／３の観察距離で識別できなくなる。従って、このＲ表示素子の識別可能な観察距離以上（以下の説明では、「Ｒ識別不能距離」と称する）にて表示装置を観察する場合、表示素子のシークエンスがＲＧＢＢＧＲＲＧＢＢＧＲ・・・の場合は、実質的にＲＧＢＧＲＧＢＧ・・・からなるシークエンスと同等なものとして観察されることになる。
【００１３】
ここで上述したように、表示素子のシークエンスがＲＧＢＧＲＧＢＧ・・・の場合は、各色の表示素子数の違いに応じた解像度変換のための低域通過回路が必要となる。しかし、表示素子のシークエンスがＲＧＢＢＧＲＲＧＢＢＧＲ・・・である場合は、観察距離に応じて実質的な表示素子のシークエンスが変化するため、ＲＧＢＧＲＧＢＧ・・・の場合と同様の低域通過回路では観察距離に応じて画質の劣化を生じる可能性がある。そのため観察距離が変化しても各観察距離に応じた自然な解像度感が得られる低域通過回路が必要であるといえる。
【００１４】
本発明は、上述した課題を解決するためになされたものであり、その目的は、高精細であるとともに解像度感が優れている表示装置を提供することである。
【課題を解決するための手段】
【００１５】
本発明の表示装置は、複数の表示素子がマトリクス状に配置された表示領域を備えた表示装置において、
前記複数の表示素子が、第１表示素子と、第２表示素子と、第３表示素子とを有し、かつ第１表示素子、第２表示素子、第３表示素子、第３表示素子、第２表示素子、第１表示素子の順で第１の方向に整列し、
前記第１表示素子と、前記第２表示素子と、前記第３表示素子との発光色がそれぞれ異なり、
前記表示領域に入力する画像信号を変調するための低域通過回路を備えたことを特徴とする。
【発明の効果】
【００１６】
本発明によれば、高精細であるとともに解像度感が優れている表示装置を提供することができる。即ち、低域通過回路を備えることにより隣り合う同色の表示素子を分離して認識できない距離より観察する場合に生じるエイリアシングによる画像劣化を低減することができる。
【図面の簡単な説明】
【００１７】
【図１】本発明の表示装置における実施形態の例を示す平面模式図である。
【図２】表示素子のシークエンスがＲＧＢＧＲＧＢＧ・・・の場合における低域通過回路による信号処理を説明する模式図である。
【図３】表示素子のシークエンスがＲＧＢＢＧＲＲＧＢＢＧＲ・・・の場合における低域通過回路による信号処理を説明する模式図である。
【図４】図３に示される低域通過回路に含まれる信号処理回路の一例を示す回路図である。
【発明を実施するための形態】
【００１８】
本発明の表示装置は、複数の表示素子がマトリクス状に配置された表示領域を備えた表示装置において、前記複数の表示素子が第１表示素子と、第２表示素子と、第３表示素子と、を有し、これらの表示素子が下記の順番で第１の方向（列方向）に整列している。
第１表示素子／第２表示素子／第３表示素子／第３表示素子／第２表示素子／第１表示素子／・・・
また本発明の表示装置において、第１表示素子と、第２表示素子と、第３表示素子との発光色はそれぞれ異なるものであり、表示領域に入力する画像信号を変調するための低域通過回路（ローパスフィルタ回路）を備えている。
【００１９】
また本発明の表示装置において、第１表示素子と、第２表示素子と、第３表示素子とが一表示単位（画素）を構成し、各表示単位に電気接続される低域通過回路の動作が、前記第１の方向における偶数列目の表示素子と奇数列目の表示素子で異なるのが好ましい。
【００２０】
また低域通過回路より出力された画像信号を変調するための差分フィルタ回路を備えるのが好ましい。
【００２１】
以下、図面を参照しながら、本発明の表示装置について説明する。
【００２２】
図１は、本発明の表示装置における実施形態の例を示す平面模式図である。図１の表示装置１は、基板（不図示）上に、表示領域１０、列駆動回路１１、行駆動回路１２、基礎駆動回路１３及び低域通過回路１４がそれぞれ設けられている。また図１の表示装置１において、表示領域１０は列駆動回路１１及び行駆動回路１２に電気的に接続され、列駆動回路１１及び行駆動回路１２は基礎駆動回路１３に電気的に接続され、基礎駆動回路１３は低域通過回路１４に電気的に接続されている。
【００２３】
図１の表示装置１において、外部から発信される画像信号１５は、まず低域通過回路１４に入力される。ここで画像信号１５の形式としては、ＰＣやＡＶ機器において用いられるＤＶＩ信号やＨＤＭＩ信号、テレビ放送に用いられるＮＴＳＣ信号やＰＡＬ信号、ノートＰＣ等の内部に用いられるＬＶＤＳ信号等を用いることができる。また画像信号１５のエンコーディングとしてはＲＧＢ信号形式以外にもＹＵＶ信号形式等の他の信号形式を用いることが出来る。ＹＵＶ信号形式を採用する場合、基礎駆動回路１３に画像信号１５を送る前にＲＧＢ信号形式に変換する変換回路（図示せず）を、低域通過回路１４よりも手前側（信号の発信元側）又は低域通過回路１４と基礎駆動回路１３との間に設ける。
【００２４】
低域通過回路１４は、入力された画像信号１５について特定の信号処理を行う回路である。尚、この信号処理については後述する。
【００２５】
低域通過回路１４にて特定の処理を行った画像信号は、基礎駆動回路１３に入力される。基礎駆動回路１３に入力された画像信号は、行同期信号（図示せず）又は列同期信号（図示せず）に同期される。
【００２６】
ここで行同期信号は、行駆動回路１１を経由して表示領域１０に入力される。一方、列同期信号は、列駆動回路１２を経由して表示領域１０に入力される。ここで行駆動回路１１は行同期信号に応じて表示領域１０中の表示行を選択する。次に、列駆動回路１２が画像信号を選択された表示行の対応する列に画像信号を選択的に入力する。
【００２７】
図１の表示装置１において、表示領域１０には、表示素子のシーシークエンスがＲＧＢＢＧＲＲＧＢＢＧＲ・・・となるように各色の表示素子が配列されており、列駆動回路１２により入力された画像信号に応じて各色の表示素子が発光することにより、画像が表示される。尚、図１の表示装置１において、基礎駆動回路１３・列駆動回路１２・行駆動回路１１は、それぞれ別個のものとして図示したが、実際の表示装置１では、各々の回路は必ずしも別個のものである必要はない。例えば、低温ポリシリコンＴＦＴ基板上に、表示領域１０を作成したプロセスと同一のプロセスを用いて基礎駆動回路１３・列駆動回路１２・行駆動回路１１をそれぞれ作製してもよい。
【００２８】
次に、低域通過回路１４の動作について説明する。上述の通り、表示素子のシークエンスがＲＧＢＢＧＲＲＧＢＢＧＲ・・・の場合、Ｒ分別不能距離以上の距離においてはこのシークエンスが、見た目上、ＲＧＢＧＲＧＢＧ・・・と同等になる。
【００２９】
ここで表示素子のシークエンスがＲＧＢＧＲＧＢＧ・・・の場合に適した低域通過回路について説明する。
【００３０】
図２は、表示素子のシークエンスがＲＧＢＧＲＧＢＧ・・・の場合における低域通過回路による信号処理を説明する模式図である。図３は、表示素子のシークエンスがＲＧＢＢＧＲＲＧＢＢＧＲ・・・の場合における低域通過回路による信号処理を説明する模式図である。
【００３１】
表示素子のシークエンスがＲＧＢＧＲＧＢＧ・・・の場合に適した低域通過回路では、外部よりＧ表示素子の数に対応した輝度情報信号が入力される。このとき、原信号に含まれるＲ信号もしくはＢ信号のうち、原信号の第ｋ列（例えば、表示領域の最左列を第１列としたときの第ｋ番目の列をいう。）に対応する信号をｆR（ｋ）とおく。また低域通過回路を通過後の第ｋ列に対応する信号をｆ1R'（ｋ）とおく。このとき、第ｋ列におけるＲ信号について、低域通過回路による信号処理前後の対応関係は、例えば、図２のようになる。図２のように原信号中のＲ信号の個数は、Ｇ表示素子の個数と等しい。一方、低域通過回路１４にて変換した後のＲ信号の個数はＲ表示素子の個数と等しくなる。このため、低域通過回路１４にて変換した後の信号の個数は、外部から入力した原信号の信号の個数の半分となる。そのためｆ1R′（ｋ）の場所に相当する原信号は、ｆR（２ｋ）となる。しかし、単純にｆ1R′（ｋ）の定義をｆ1R′（ｋ）＝ｆR（２ｋ）とすると、非特許文献１に示されるエイリアシング歪みによって画質が劣化してしまう。これを防ぐために低域通過回路１４内にＦＩＲフィルタ構成を含ませることが一般的に行われている。ＦＩＲフィルタ構成を含ませた場合、原信号と変換後の信号との関係を示す一般式は、下記式１に示されるようになる。
【００３２】
【数１】
2011221180.tif 000003
（ａiは、−１以上１以下の定数である。）
【００３３】
表示素子のシークエンスがＲＧＢＢＧＲＲＧＢＢＧＲ・・・の場合において、例えば、隣り合うＲ表示素子（２ｋ列目のＲ表示素子と２ｋ＋１列目のＲ表示素子）にそれぞれ入力されるＲ信号を平均化する処理は、式１において、ａiを下記に示す場合に相当する。
ａ-∞＝・・・＝ａ2k-1＝０，
ａ2k＝ａ2k+1＝１／２，
ａ2k+2＝・・・＝ａ∞＝０
【００３４】
このとき、最左列のＲ表示素子はｋ＝０の２ｋ＋１列目に相当し、ｆ1R（１）が対応する。
【００３５】
そうすると、式１は下記式１−１に示すようになる。この処理が、ＦＩＲフィルタを用いた場合の低域通過処理である。
【００３６】
【数２】
2011221180.tif 000004
【００３７】
また遮断周波数付近の低域通過特性を急峻にするためには、ａiが方形波を逆フーリエ変換した数列もしくは逆フーリエ変換した値を有限項で打ち切った数列に含まれるのが好ましい。この場合は、一部ａi＜０となる。
【００３８】
一例としては、式１においてａiを以下のように設定する。
ａ-∞＝・・・＝ａ2k-2＝０，
ａ2k-1＝１／８，
ａ2k＝ａ2k+1＝３／８，
ａ2k+2＝１／８，
ａ2k+3＝・・・＝ａ∞＝０
【００３９】
そうすると、式１は下記式１−２に示すようになる。
【００４０】
【数３】
2011221180.tif 000005
【００４１】
尚、以上の説明はＲ表示素子についての説明であるが、Ｂ表示素子についても下記式２に基づいて、原信号と変換後の信号との関係を定義することができる。
【００４２】
【数４】
2011221180.tif 000006
（式２において、ｆB（ｉ）は、ｉ番目の原信号を表し、ｆ1B'（ｋ）は、ｉ番目の変換後の信号を表す。）
【００４３】
以上を踏まえた上で本発明の表示装置が備える低域通過回路の動作について説明する。図１の表示装置１は、表示領域１０に含まれる表示素子の行方向のシークエンスが、ＲＧＢＢＧＲＲＧＢＢＧＲ・・・となっている。また表示装置１が備える低域通過回路１４内における具体的な画像信号の処理方法は、Ｒ表示素子の場合は式１に基づき、Ｂ表示素子の場合は式２に基づくものである。
【００４４】
また上記シークエンスにおけるＲ表示素子は個別に駆動させることが可能である。ここで表示素子のシークエンスがＲＧＢＧＲＧＢＧ・・・の場合におけるｋ（ｋ≦１）列目のＲ表示素子へ入力される信号をｆR'（ｋ）とする。ここで「表示素子のシークエンスがＲＧＢＧＲＧＢＧ・・・の場合におけるｋ列目」とは、表示素子のシークエンスがＲＧＢＢＧＲＲＧＢＢＧＲ・・・の場合における２ｋ−１列目のＲ表示素子と２ｋ列目のＲ表示素子に相当する。ここでこれら２つのＲ表示素子へ入力される信号を、それぞれｆｌ1R'（２ｋ−１）、ｆｒ1R'（２ｋ）とする。ここで、最左列のＲ表示素子を第０列、この第０列のＲ表示素子の直近に設けられそれぞれ隣接する２つのＲ表示素子のうち左側を第１列とみた場合、ｆｒ1R'（２ｋ）は、それぞれ隣接する２つのＲ表示素子のうち、右側のＲ表示素子に入力される信号である。またｆｌ1R'（２ｋ−１）は、それぞれ隣接する２つのＲ表示素子のうち、左側のＲ表示素子に入力される信号である。
【００４５】
ここで、ｆ1R'（ｋ）、ｆｒ1R'（２ｋ）及びｆｌ1R'（２ｋ−１）の関係を、下記式３で定義する。
【００４６】
【数５】
2011221180.tif 000007
【００４７】
そうすると、Ｒ分別不能距離において、表示素子のシークエンスがＲＧＢＧＲＧＢＧ・・・の場合と同等の効果が得られる。
【００４８】
さらに式３中のｆｒ1R'（２ｋ）及びｆｌ1R'（２ｋ−１）を下記式４で定義する。
【００４９】
【数６】
2011221180.tif 000008
【００５０】
上記式３及び式４に基づいてｆｒ1R'（２ｋ）及びｆｌ1R'（２ｋ−１）を設定することにより、Ｒ分別不能距離以上の観察距離において、表示素子のシークエンスがＲＧＢＧＲＧＢＧ・・・の場合と同等の画質が実現される。またＲ分別可能距離において隣り合うＲ表示素子同士がはっきりと観察することができる。つまり、低域通過回路による解像度感の低下を低減することができる。従って、表示素子のシークエンスがＲＧＢＧＲＧＢＧ・・・の場合と比べてＲ表示素子の総数が多い（ＲＧＢＧＲＧＢＧ・・・の場合と比べて２倍である）メリットを生かした解像度感の高い表示装置が実現できる。尚、式４において、ａiは、式１の場合と同様に設定すればよい。
【００５１】
例えば、図３に示される方式でＲ発光の信号を送る場合を考える。この方式では、式４においてａiを以下のように設定するのと同様となる。
ａ-∞＝・・・＝ａ2k-2＝０，
ａ2k-1＝１／８，
ａ2k＝ａ2k+1＝３／８，
ａ2k+2＝１／８，
ａ2k+3＝・・・＝ａ∞＝０
【００５２】
そうすると、式４は、下記式４−１に示される通りになる。
【００５３】
【数７】
2011221180.tif 000009
【００５４】
式４−１に示されるようにｆｒ1R'（２ｋ）及びｆｌ1R'（２ｋ−１）を設定することにより、Ｒ分別不能距離以上の観察距離において、表示素子のシークエンスがＲＧＢＧＲＧＢＧ・・・の場合に使用される低域通過回路と同等の画質を得ることができる。
【００５５】
式４−１を実装した一例について図面を参照しながら説明する。図４は、図３に示される低域通過回路に含まれる信号処理回路の一例を示す回路図である。以下、Ｒ表示素子に入力される画像信号の変換例を具体例として以下に説明する。尚、図４では、外部から送信される画像信号（ｆR（２ｋ＋２）、ｆR（２ｋ＋１）、ｆR（２ｋ）、ｆR（２ｋ−１））を、式４−１に基づいてｆｒ1R'（２ｋ）又はｆｌ1R'（２ｋ−１）に変換する例を示している。また図３では、説明のため各列に対応する画像信号が同一時刻に入力されるかのように図示したが、実際の実施形態では後述するように画像信号は時系列に沿って入力される。
【００５６】
以下に、図４に示される信号変換について説明する。尚、以下の説明は、図３に示される表示装置において、左端のＲ表示素子から数えて２ｋ−１番目及び２ｋ番目のＲ表示素子に画像信号を入力する具体例を示している。また画像信号の入力にあたっては、時間の早い側からｆR（１）、ｆR（２）、・・・、ｆR（２ｋ−１）、ｆR（２ｋ）、ｆR（２ｋ＋１）、ｆR（２ｋ＋２）、・・・、ｆR（２ｎ−２）、ｆR（２ｎ−１）、ｆR（２ｎ）の順で入力される。
【００５７】
ここで信号ｆｒ1R'（２ｋ）を得るには、まず画像信号ｆR（２ｋ＋２）及びｆR（２ｋ＋１）を、それぞれ乗算手段（乗算器４１）へ送信し、この乗算手段によって信号の乗算処理を行う。例えば、図４のように、まず信号ｆRを同じタイミングで１／４倍、３／４倍、３／４倍、１／４倍を行う乗算器に入力する。次にそれぞれの乗算器の出力を遅延素子４２に入力する。遅延素子４２は入力画像信号ｆRの画像信号が送られるタイミングに同期して一クロック前に入力された信号を次段に出力する。これらの信号を加算器４３を用いて加算していく。これによりｆR'には同一タイミングにて違う列の信号、即ち、ｆR内では時系列上で異なる時刻の信号に係数ａiを乗算したものが加算され出力される。尚、係数ａiは、表示列によって異なるものである。一方、このとき各列の選択信号４４により遅延素子４２に信号を保存するかどうかを選択することによって式４−１中の二つの式を偶数列、奇数列に応じて計算し分けることが出来る。
【００５８】
尚、図４に示される回路は低域通過回路に備える回路の具体例の１つであって、本発明はこれに限定されるものではない。例えば、表示装置が備える表示パネルが赤及び青画素に関して奇数列及び偶数列それぞれに関して専用の入力を備える場合には、図４に示す回路をそれぞれ用意することで図４中の係数選択信号４４を省略することが出来る。ただし本発明の表示装置は、低域通過回路に、少なくとも特定の信号にａiをかける乗算処理を行う回路と、信号のタイミングを調整するための遅延素子と、複数の信号を足し合わせる加算手段と、を有する。そして上記式３及び式４に基づいてａiを適宜調整することで表示素子へ入力するのに最適な信号を得ることができる。
【００５９】
ところで本発明の表示装置においては、さらに信号ｆｒ1R'（２ｋ）と信号ｆｌ1R'（２ｋ−１）との差分を強調するフィルタ特性を低域通過回路に持たせてもよい。このフィルタ特性を持たせることによって、第２ｋ−１列の赤表示素子と第２ｋ列のＲ表示素子を分離して認識できる距離にて観察した場合の解像感（エッジ強調効果）をさらに強調する構成になる。このフィルタ特性は、例えば、式５にて示される処理を行うものである。
【００６０】
【数８】
2011221180.tif 000010
【００６１】
式５において、ｆｒ2R'（２ｋ）及びｆｌ2R'（２ｋ−１）は、それぞれ差分フィルタ適用後の２ｋ（ｋ≦１）番目、２ｋ−１番目のＲ表示素子に入力される信号を表す。またｇは差分フィルタの効き具合を調節する処理関数の一種である。
【００６２】
このとき実際に差分フィルタを備えた低域通過回路を実装する場合には、式５に式４−１を代入した計算を行う低域通過回路を実装するのがよい。これにより計算の簡略化を行うことができる。
【００６３】
以上、Ｒ表示素子に入力する信号を例にあげて説明したが、本発明はこれに限定されるものではない。例えば、Ｒ表示素子と同様の配列であるＢ表示素子についても同様の信号処理を行うことができる。
【００６４】
尚、本実施形態では偶数列の表示単位においては赤緑青の順にて配列され、奇数列においては青緑赤の順で配列されるとしたが、奇数列においては赤緑青の順にて配列し偶数列においては青緑赤の順で配列したとしても同様の効果が得られる。
【００６５】
また、本実施形態では一表示単位を赤緑青もしくは青緑赤の配列としたが、緑赤青・青緑赤もしくは緑青赤・赤青緑のように緑以外の色が中心であっても同様の効果を奏する。
【００６６】
また一表示単位の輝度情報を計算するのに必要な元信号として元画像の２表示単位として説明したが、低域通過回路の規模に応じてさらに多数の表示単位の信号を用いてもよい。
【００６７】
一方、式３及び式４に基づいて、例えば、式５を計算する低域通過回路の演算精度は、外部から入力される画像信号１５の量子化ビット以上であることが望ましい。例えば、画像信号１５の量子化ビットが８ビットである場合は８ビット以上の数値演算回路により演算することが好ましい。
【００６８】
特に、式３及び式４に基づいて式５の計算を行う際に、丸め誤差の影響を防止するために、１０ビット以上の演算精度であることが好適である。
【００６９】
また演算回路の実装については、演算速度や消費電力、回路サイズの観点からＡＳＩＣ（専用集積回路）による実装を行ってもよいが、動的設定の観点からＦＰＧＡ（大規模なプログラム可能な論理素子）を用いてもよい。ＦＰＧＡを用いる場合、外部より式４の形式を出荷後等に再設定できるようＦＰＧＡのプログラミング用インターフェースを表示装置１中に設置してもよい。
【００７０】
また式４中のａiを、出荷前検査や出荷後にユーザの好みに応じて設定できるよう、低域通過回路に接続されたＰＲＯＭやＲＡＭ内にａiの各係数を保持できるようにしてもよい。
【００７１】
ところで本実施形態では、低域通過回路１４が表示装置１中に設置される形式であるが、本発明はこれに限定されるものではない。表示装置１がデジタルカメラや携帯電話等の電子機器内に組み込まれる場合は、同等の機能を持つ回路を電子機器側に設け、処理後の信号を表示装置１に入力する形式であってもよい。
【符号の説明】
【００７２】
１：表示装置、１０：表示領域、１１：行駆動回路、１２：列駆動回路、１３：基礎駆動回路、１４：低域通過回路、１５：画像信号、４１：乗算器、４２：遅延素子、４３：加算器、４４：係数選択信号
【図１】
2011221180.tif 000011
【図２】
2011221180.tif 000012
【図３】
2011221180.tif 000013
【図４】
2011221180.tif 000014